(57)【要約】      （修正有）【課題】ディスクの中心孔に挿入される把持爪の停止位置にバラツキが発生しても、ディスクの把持不良、ディスクの破損を招くことなく、ディスクを把持可能なグリッピング機構を提供する。【解決手段】把持爪１０１〜１０３が取り付けられているアームベース５５ａは、その昇降機構の側のタイミングベルト６４に固定したベルトグリップ１５２に対して、上方に相対移動可能に連結され、常時はばね部材１５１により移動が阻止されている。把持爪をディスク中心孔に挿入する際に、把持爪が取り付けられている支持ピン１１１〜１１３がディスク表面に当った場合には、ばね部材１５１が弾性変形してディスクに作用する衝突力が緩和される。また、ばね部材１５１が弾性変形してアームベース５５ａの移動が止まり、支持ピン１１１〜１１３がディスク２を押し付けて損傷を与えることもない。【選択図】図７
2011170966.tif 000002
【特許請求の範囲】
【請求項１】
複数本の把持爪を把持対象のディスクの中心孔に挿入し、これら把持爪を中心孔の径方向に広げて当該中心孔の内周面に押し付けることにより、前記ディスクを把持するディスクのグリッピング機構において、
前記把持爪を備えている把持部材を、前記ディスクの中心孔への挿入方向とは逆方向に移動可能に支持している支持部と、
当該支持部による前記把持部材の移動を阻止している弾性部材とを有していることを特徴とするディスクのグリッピング機構。
【請求項２】
請求項１において、
前記把持部材が取り付けられているアームと、
前記把持爪が前記ディスクの中心孔に挿入される方向に、前記アームを移動させる移動機構とを有し、
前記支持部は、前記把持部材と前記アームの間、および、前記アームと前記移動機構の間のうち、少なくとも一方に配置されていることを特徴とするディスクのグリッピング機構。
【請求項３】
請求項２において、
把持対象のディスクの中心孔に挿入される前記把持爪の停止位置を検出するためのディスク検出機構を有し、
このディスク検出機構は前記アームに搭載されていることを特徴とするディスクのグリッピング機構。
【発明の詳細な説明】
【技術分野】
【０００１】
本発明は、複数本の把持爪を把持対象のディスクの中心孔に挿入し、これら把持爪を中心孔の径方向に広げて当該中心孔の内周面に押し付けることによりディスクを把持するように構成されているディスクのグリッピング機構に関するものである。さらに詳しくは、把持爪をディスクの中心孔に挿入する動作を、ディスクの破損、把持爪の挿入不良を招くことなく、適切に行うことのできるディスクのグリッピング機構に関するものである。
【背景技術】
【０００２】
多数枚のブランクＣＤなどのディスクにデータの書き込みを行うディスクダビング装置、データの書き込みとレーベル印刷を行うことにより制作したディスクを発行可能なＣＤ／ＤＶＤパブリッシャなどのディスク処理装置においては、一般に、多数枚のブランクディスクあるいは作成済みのディスクが厚さ方向に積み重ねられた状態でスタッカに収納される。かかる状態でスタッカに収納されているディスクを把持するためのグリッピング機構としては、３本の把持爪を把持対象のディスクの中心孔に挿入し、これらを相対的に中心孔の径方向に広げて、これらを当該中心孔の内周面に押し付けることによりディスクを把持する構成のものが知られている。
【０００３】
特許文献１にはＣＤ搬送機構が開示されており、このＣＤ搬送機構では、ＣＤの中心孔に３本の把持片（把持爪）を挿入し、これらを半径方向に広げて中心孔の内周面に押し付けることによりＣＤを把持するようになっている。３本の把持片を半径方向に広げるために、２本の把持爪を固定しておき、１本の把持片をこれらに対して遠ざかる方向に移動させ、これにより３本の把持片の外接円を広げるようにしている。また、把持片が取り付けられているアームには、ＣＤの表面を検出するための位置センサが搭載されており、この位置センサの出力に基づき、ＣＤの中心孔に３本の把持片が挿入されたことを検出するようにしている。
【先行技術文献】
【特許文献】
【０００４】
【特許文献１】米国特許第６，８０２，０７０号明細書
【発明の概要】
【発明が解決しようとする課題】
【０００５】
ここで、位置センサによって正確に把持片がディスク中心孔に挿入されたことを検出できないと、把持不良、ディスクの破損などの弊害が発生する可能性がある。
【０００６】
例えば、把持片、アームなどの製造誤差、アームに対する位置センサの取り付け誤差、位置センサ自体の検出誤差などに起因して、把持片がディスク中心孔に十分に挿入される前の時点で把持片が挿入されたことが検出されてその挿入が停止すると、把持片によってディスクを確実に把持できず、ディスクを持ち上げて搬送する際にディスクが落下するなどの弊害が発生する。逆に、把持片が挿入されたことの検出が遅れると、把持片が取り付けられているハブなどの部分がディスク中心孔の縁部分に衝突して、ディスク表面を傷つけ、場合によってはディスクを破損する可能性もある。
【０００７】
したがって、位置センサによる把持片の停止位置のバラツキを無くす必要があるが、各部品の製造誤差、取り付け誤差、位置センサ自体の検出誤差などが原因となって発生する把持片の停止位置のバラツキを無くすことは極めて困難である。
【０００８】
本発明の課題は、この点に鑑みて、ディスクの中心孔に挿入される把持爪の停止位置にバラツキが発生しても、ディスクの把持不良、ディスクの破損を招くことなく、ディスクを把持可能なグリッピング機構を提案することにある。
【課題を解決するための手段】
【０００９】
上記の課題を解決するために、本発明は、複数本の把持爪を把持対象のディスクの中心孔に挿入し、これら把持爪を中心孔の径方向に広げて当該中心孔の内周面に押し付けることにより、前記ディスクを把持するディスクのグリッピング機構において、前記把持爪を備えている把持部材を、前記ディスクの中心孔への挿入方向とは逆方向に移動可能に支持している支持部と、当該支持部による前記把持部材の移動を阻止している弾性部材とを有していることを特徴としている。
【００１０】
本発明のグリッピング機構においては、把持爪を把持対象のディスクの中心孔に挿入する挿入量を、部品の製造誤差、それらの組付け誤差などを考慮して、僅かに多めに設定しておくことにより、把持爪によるディスクの把持不良が解消される。また、把持爪を挿入する際に、それらの把持部材がディスク表面に当った場合には、弾性部材が弾性変形し、ディスクに作用する衝突力が緩和される。また、把持部材がディスクに当った後は、弾性部材が弾性変形して、把持部材がそれ以上挿入方向に移動することがない。よって、把持部材によってディスクが損傷することもない。したがって、把持爪の挿入時におけるその停止位置にバラツキが発生しても、把持不良、ディスクの破損などが発生しない。
【００１１】
ここで、前記把持部材が取り付けられているアームが移動機構によって移動するように構成されている場合には、前記支持部は、前記把持部材と前記アームの間、および、前記アームと前記移動機構の間のうち、少なくとも一方に配置することができる。
【００１２】
また、この場合には、ディスクの中心孔に挿入される前記把持爪の停止位置を検出するためのディスク検出機構を前記アームに搭載すればよい。
【発明の効果】
【００１３】
本発明のグリッピング機構では、把持爪を備えている把持部材が、把持爪の挿入方向とは逆方向に移動可能な状態で支持部によって支持され、常時は、その移動が弾性部材によって阻止されている。把持爪を把持対象のディスク中心孔に挿入した際に、把持爪を備えている把持部材がディスク表面に当ると、弾性部材が弾性変形して、それらの衝突力が緩和される。また、弾性部材が弾性変形して、把持部材がそれ以上移動することがない。よって、把持爪の挿入時に、その停止位置にバラツキが有ったとしても、ディスクが損傷してしまうことが無い。また、停止位置のバラツキを考慮して把持爪の挿入量を設定しておくことにより、把持爪によるディスクの把持不良も解消できる。
【図面の簡単な説明】
【００１４】
【図１】本発明を適用したＣＤパブリッシャの概略構成図である。
【図２】ＣＤパブリッシャの具体例を示す外観斜視図である。
【図３】ＣＤパブリッシャにおける開閉扉が開いた状態での斜視図である。
【図４】ＣＤパブリッシャの内部構造を示すための斜視図である。
【図５】ＣＤパブリッシャのディスク搬送部を示す斜視図である。
【図６】ディスク搬送部の搬送アームの分解斜視図である。
【図７】ディスク搬送部の搬送アームのグリッピング機構を示す側面図である。
【図８】グリッピング機構の平面図である。
【図９】グリッピング機構の把持爪を示す断面図および平面図である。
【図１０】搬送アームとタイミングベルトの連結機構を示す斜視図及び分解斜視図である。
【図１１】ディスク搬送部のディスクグリッピング動作を示す概略フローチャートである。
【図１２】ＣＤパブリッシャのプリンタを示す斜視図である。
【図１３】プリンタのプリンタトレイを示す平面図である。
【発明を実施するための形態】
【００１５】
以下に、図面を参照して、本発明を適用したディスクのグリッピング機構を備えたディスク処理装置の一例を説明する。
【００１６】
（全体構成）
図１は本発明を適用したＣＤパブリッシャの概略構成図である。本例のＣＤパブリッシャ１は、ＣＤ、ＤＶＤなどのディスク２（ブランクディスク２Ａおよび作成済みディスク２Ｂ）を保管するためのディスク保管部３と、ディスク２へのデータの書き込み、およびディスク２からのデータの読み出しを行うディスクドライブ４と、データが書き込まれたディスク２のレーベル面２ａに、書き込みデータを表すタイトル、書き込み年月日などを含むレーベルを印刷するためのレーベルプリンタ５と、ディスク２を搬送するためのディスク搬送部６と、各部の駆動制御を司る制御部７を有している。制御部７はＬＡＮなどの通信回線を介して管理サーバ、パーソナルコンピュータなどの上位機器８に接続されており、上記機器８の側から、ディスク製作要求（データ書き込み要求、データ追記要求）、ディスク発行要求などが入力される。
【００１７】
ディスクドライブ４のディスクトレイ７１に対しては、ディスク受け渡し位置７１Ａに引き出された状態で、ディスク搬送部６によってディスク２の受け渡しが行われる。ディスクトレイ７１に引き渡されたディスク２に対しては、ディスクドライブ４内に引き込まれた処理位置７１Ｂにおいてデータの書き込み、読み出しが行われる。
【００１８】
レーベルプリンタ５はディスクドライブ４の下側に配置されており、ディスク２を搬送するためのプリンタトレイ８１を備えている。プリンタトレイ８１は、レーベルプリンタ５による印刷位置８１Ｂと、ディスク受け渡し位置８１Ａとの間を往復移動する。ディスク受け渡し位置８１Ａにおいて、ディスク搬送部６によってディスク２の受け渡しが行われる。本例では、ディスクドライブ４のディスクトレイ７１のディスク受け渡し位置７１Ａの真下が、プリンタトレイ８１のディスク受け渡し位置８１Ａとされている。
【００１９】
ディスク保管部３は、ディスク２を厚さ方向に積層した状態で収納する第１および第２スタッカ１１、１２を備えている。第１スタッカ１１および第２スタッカ１２は、本例では、同軸状態で上下に配置されており、通常は、第１スタッカ１１はブランクディスク２Ａを収納するためのブランクディスク・スタッカとして機能し、第２スタッカ１２は作成済みディスク２Ｂを収納するための作成済みディスク・スタッカとして機能する。
【００２０】
ＣＤパブリッシャ１の典型的なディスク作成動作は次の通りである。上位機器８からデータ書き込み要求を受けると、ディスク保管部３の第１スタッカ１１からブランクディスク２Ａを取り出して、ディスクドライブ４にセットして、データ書き込み要求と共に供給された書き込みデータを書き込む。次に、書き込み済みディスク２をレーベルプリンタ５にセットして、そのレーベル面に、同じくデータ書き込み要求と共に供給されたレーベル印刷情報を印刷する。印刷終了後の作成済みディスク２Ｂを、ディスク保管部３の第２スタッカ１２に収納する。ディスク発行（取り出し）要求があると、ディスク搬送部６によって、対象となる作成済みディスク２Ｂが第２スタッカ１２から取り出されて、ディスク排出口１３に排出される。この結果、作成済みディスク２Ｂを、ここから装置外部に取り出すことができる。
【００２１】
（ＣＤパブリッシャの具体的構成例）
次に、図２ないし図１２を参照して、本例のＣＤパブリッシャ１の具体的構成例を説明する。
【００２２】
図２はＣＤパブリッシャ１の外観斜視図である。ＣＤパブリッシャ１は、ほぼ直方体形状の筐体３１を備え、この筐体３１の前面には、左右に開閉可能な開閉扉３２、３３が取り付けられている。開閉扉３２、３３の下側右端部には、表示ランプ、操作ボタンなどが配列された操作面３４が形成されており、当該操作面３４の隣には、ディスク排出口１３が開いている。
【００２３】
図３は、開閉扉３２、３３を開いた状態でのＣＤパブリッシャ１の斜視図である。左側の開閉扉３２は閉じ状態にロックされており、操作面３４に個人認証手段、例えば、指紋センサなどを配置しておき、予め登録されている者のみが開閉できるようになっている。あるいは、上位機器８からの指令によって開閉可能となっている。これに対して、右側の開閉扉３３はレーベルプリンタ５のインクカートリッジの交換時に開閉するためのものであり、当該開閉扉３３を開けると、カートリッジ装着部３６が露出するようになっている。本例では上下二段のカートリッジ装着部３６が形成されている。
【００２４】
図４は、開閉扉３２、３３および筐体３１の一部を取り外した状態でのＣＤパブリッシャ１の斜視図である。図３および図４を参照して説明すると、ＣＤパブリッシャ１の筐体３１の内部には、その左側の部位において、ブランクディスク・スタッカ１１および作成済みディスク・スタッカ１２が同軸状態で上下に配置されている。ブランクディスク・スタッカ１１は、前方に水平に引き出し可能なスライド板４１と、このスライド板４１の上に垂直に配置されている左右一対の円弧状の枠板４２、４３とを備えており、これらにより、ディスク２Ａを上側から受け入れて厚さ方向積層した状態で収納可能なスタッカが構成されている。ブランクディスク・スタッカ１１にディスク２Ａを収納あるいは補充する作業は、開閉扉３２を開け、スライド板４１を手前に引き出すことにより、簡単に行うことが可能となっている。
【００２５】
下側の作成済みディスク・スタッカ１２も同一構造となっており、前方に水平に引き出し可能なスライド板４４と、この上面に垂直に配置されている左右一対の円弧状の枠板４５、４６とを備えており、これらによって、ディスク２Ｂを上側から受け入れ、同軸状態で積層した状態で収納可能なスタッカが構成されている。
【００２６】
これらのブランクディスク・スタッカ１１および作成済みディスク・スタッカ１２の後側には、ディスク搬送部６が配置されている。ディスク搬送部６は、筐体３１に垂直に取り付けられているシャーシ５１と、このシャーシ５１の上下の水平支持板部分５２、５３の間に垂直に架け渡されている垂直ガイド軸５４と、この垂直ガイド軸５４に取り付けた搬送アーム５５とを備えている。搬送アーム５５は、垂直ガイド軸５４に沿って昇降可能であるとともに、当該垂直ガイド軸５４を中心に左右に旋回可能である。
【００２７】
ディスク搬送部６の側方から後ろ側の部位には、上側にディスクドライブ４が配置され、下側にレーベルプリンタ５が配置されている。図３、４では、上側のディスクドライブ４のディスクトレイ７１が手前に引き出されたディスク受け渡し位置７１Ａにある状態、および、下側のレーベルプリンタ５のプリンタトレイ８１が手前側のディスク受け渡し位置８１Ａにある状態が示されている。また、レーベルプリンタ５はインクジェットプリンタであり、インク供給源として各色のインクカートリッジ８２が用いられており、これらのインクカートリッジ８２がカートリッジ装着部３６に前方から装着されている。
【００２８】
ここで、ブランクディスク・スタッカ１１および作成済みディスク・スタッカ１２の左右一対の枠板４２、４３の間、４５、４６の間には、ディスク搬送部６の搬送アーム５５が昇降可能な隙間が形成されている。また、これら上下のスタッカ１１、１２の間には、搬送アーム５５が水平に旋回して、これらの真上に位置できるように、隙間が開いている。さらに、上側のディスクトレイ７１をディスクドライブ４に押し込むと、ディスク搬送部６の搬送アーム５５を下降させて、ディスク受け渡し位置にあるプリンタトレイ８１にアクセス可能となっている。したがって、搬送アーム５５の昇降および左右への旋回の組み合わせ動作によって、ディスク２を各部分に搬送することが可能である。
【００２９】
（ディスク搬送部）
図５はディスク搬送部６のみを示す斜視図である。先に述べたように、ディスク搬送部６は、筐体３１に対して垂直に取り付けられているシャーシ５１を備え、このシャーシ５１の上下の水平支持板部分５２、５３の間に、垂直ガイド軸５４が取り付けられている。この垂直ガイド軸５４に搬送アーム５５が昇降および旋回可能な状態で支持されている。
【００３０】
搬送アーム５５の昇降機構は、駆動源である昇降用のモータ５６を備えており、このモータ５６の回転が、当該モータの出力軸に取り付けたピニオン５７、複合伝達歯車５８、および伝達歯車５９を備えた減速歯車列を介して、駆動側プーリ６１に伝達されるようになっている。駆動側プーリ６１は、シャーシ５１の上端近傍位置において、水平な回転軸（図示せず）を中心として回転自在の状態に支持されている。シャーシ５１の下端近傍位置には、同じく水平な回転軸６２を中心として回転自在の状態で従動側プーリ６３が支持されており、これら駆動側プーリ６１および従動側プーリ６３の間にタイミングベルト６４が架け渡されている。このタイミングベルト６４の左右のベルト部分の一方に、搬送アーム５５の後端部分が連結されている。（この連結部分の構造については、図１０などを参照して後述する。）したがって、モータ５６を駆動すると、タイミングベルト６４が上下方向に移動し、そこに取り付けられている搬送アーム５５が垂直ガイド軸５４に沿って昇降する。
【００３１】
次に、搬送アーム５５の旋回機構は、駆動源である旋回用のモータ６５を備えており、このモータ６５の出力軸にはピニオン（図示せず）が取り付けられて、このピニオンの回転が、２枚の複合伝達歯車６６、６７を備えた減速歯車列を介して、扇形の最終段歯車６９に伝達されるようになっている。扇形の最終段歯車６９は、垂直ガイド軸５４を中心として左右に旋回可能である。また、当該最終段歯車６９には、搬送アーム５５の昇降機構の構成部品が組み付けられているシャーシ５１が搭載されている。モータ６５を駆動すると、扇形の最終段歯車６９が左右に旋回するので、ここに搭載されているシャーシ５１が一体となって垂直ガイド軸５４を中心として左右に旋回する。この結果、シャーシ５１に搭載されている昇降機構によって保持されている搬送アーム５５が垂直ガイド軸５４を中心として左右に旋回する。
【００３２】
（搬送アームおよびグリッピング機構）
図６は搬送アーム５５の主要部分を示す分解斜視図であり、図７はその内部構造を示す側面図であり、図８はその内部構造を示す平面図である。
【００３３】
搬送アーム５５は、先端部が半円形の細長いアームベース５５ａと、このアームベース５５ａの上に被せた同一輪郭形状のアームケース５５ｂとを備えている。また、アームベース５５ａにはディスク２を把持するためのグリッピング機構１００が組み込まれており、このグリッピング機構１００がアームケース５５ｂによって覆い隠されている。
【００３４】
グリッピング機構１００は、同一円上において等角度間隔で配置された３本の円柱状の把持爪１０１〜１０３を備えており、これらの把持爪１０１〜１０３は、アームベース５５ａの先端部に形成した円形穴５５ｃから下方に垂直に突出している。これら３本の把持爪１０１〜１０３を、ディスク２の中心孔２ｂに挿入して、その半径方向の外方に押し広げることにより、ディスク２を把持できる。
【００３５】
各把持爪１０１〜１０３は、これらより大径の支持ピン１１１〜１１３の下端に取り付けられている。各支持ピン１１１〜１１３は、アームベース５５ａの円形穴５５ｃを貫通してその上側に延び、アームベース５５ａの上面に配置されている３枚の旋回板１２１〜１２３にそれぞれ取り付けられている。アームベース５５ａには、その円形穴５５ｃを取り囲む状態で同一円上に等角度間隔で旋回中心軸１３１〜１３３が垂直に固定されている。各旋回板１２１〜１２３は、これらの旋回中心軸１３１〜１３３を中心として旋回可能な状態で支持されている。
【００３６】
各旋回板１２１〜１２３は、アームベース５５ａに沿って、その円形穴５５ｃのほぼ円周方向に延びる前後の腕部１２１ａ、１２１ｂ、１２２ａ、１２２ｂ、１２３ａ、１２３ｂと、旋回中心から円形穴５５ｃの内側に突出している支持腕１２１ｃ〜１２３ｃとを備えている。支持腕１２１ｃ〜１２３ｃの先端部の裏面に、それぞれ、支持ピン１１１〜１１３が垂直に固定されている。
【００３７】
旋回板１２１の前側の腕部１２１ａの先端面には、旋回板１２２の後側の腕部１２２ｂの後端がスライド可能な状態で当接している。同様に、旋回板１２２の前側の腕部１２２ａの先端面には、旋回板１２３の後側の腕部１２３ｂの後端がスライド可能な状態で当接している。旋回板１２３の前側の腕部１２３ａの先端面には、旋回板１２１の後側の腕部１２１ｂの後端がスライド可能な状態で当接している。ここで、前側の腕部１２１ａないし１２３ａの先端面の傾斜角度を適切に設定することにより、各旋回板１２１ないし１２３が同一方向に旋回するようになっている。
【００３８】
旋回板１２１の前側の腕部１２１ａと、旋回板１２２ａの前側の腕部１２２ａとの間には、引張りコイルばね１２４が架け渡されている。この引張りコイルばね１２４の引張り力によって、旋回板１２１〜１２３はガタ付くことなく当接状態に保持されていると共に、旋回板１２１に対して図８において矢印Ｒ１で示す方向（把持爪１０１〜１０３を広げる方向）の付勢力が加わっている。
【００３９】
この状態では、各旋回板１２１〜１２３の支持腕１２１ｃ〜１２３ｃの先端に取り付けられている把持爪１０１〜１０３の外接円は、ディスク２の中心孔２ｃの内径より大きな径となっている。この状態において、一枚の旋回板、例えば旋回板１２１を矢印Ｒ２で示す方向に旋回すると、これに連動して、他の二枚の旋回板１２２、１２３も同一方向に同一角度だけ旋回する。この結果、旋回板１２１〜１２３の支持腕１２１ｃ〜１２３ｃが円形穴５５ｃの中心に向けて移動し、これらの先端部に取り付けられている把持爪１０１〜１０３をディスク２の中心孔２ｃに挿入可能な状態まで狭めることができる。この状態で把持爪１０１〜１０３をディスク２の中心孔２ｃに挿入し、しかる後に、旋回板１２１〜１２３を逆方向Ｒ１に旋回すると、把持爪１０１〜１０３が半径方向の外側に押し広げられる。この結果、それらがディスクの中心孔２ｃの内周面２ｄに押し付けられて、ディスク２が把持された状態になる。
【００４０】
本例のグリッピング機構１００では、旋回板１２１〜１２３を旋回させるために次の機構が備わっている。旋回板１２１には、支持腕１２１ｃとは反対側に延びる操作腕１２１ｄが形成されている。この操作腕１２１ｄの先端部には、Ｌ形リンク１２５の一方の腕部１２５ａの先端が回転自在の状態で連結されている。Ｌ形リンク１２５はその折れ曲がり部を中心として旋回可能であり、反対側の腕部１２５ｂの先端部は電磁ソレノイド１２６の作動ロッド１２６ａに連結されている。電磁ソレノイド１２６は、オフ状態においてその作動ロッド１２６ａが図８に示す突出状態にある。電磁ソレノイド１２６をオンに切り替えると、作動ロッド１２６ａが内蔵のばねのばね力に逆らって引き込まれて、Ｌ形リンク１２５を旋回させる。Ｌ形リンク１２５の旋回運動が旋回板１２１に伝わり、当該旋回板１２１がＲ２方向に旋回し、これに連動して他の二枚の旋回板１２２、１２３も同一方向に同一角度だけ旋回する。この結果、把持爪１０１〜１０３が押し広げられる。
【００４１】
このように、本例のグリッピング機構１００では、３本の把持爪１０１〜１０３がそれぞれ半径方向に移動して、ディスク２の中心孔２ｃに挿入可能なディスク開放位置および、ディスク中心孔２ｃの内周面２ｄに押し付けられたディスク把持位置に位置決めされる。これらの把持爪１０１ないし１０３のストローク量を十分に確保しておくことにより、把持爪１０１〜１０３をディスク２の表面に当てることなく、その中心孔２ｃに挿入させることができる。よって、把持爪１０１〜１０３の先端部分にディスク２を案内するために上下に長い傾斜面を形成しておく必要がなく、各把持爪１０１ないし１０３の長さを、実質的にディスク２の厚さ程度に短くできる。
【００４２】
また、平面方向に配列した各旋回板１２１〜１２３が相互に当接した状態に保持されており、一枚の旋回板１２１が旋回すると、他の二枚の旋回板１２２，１２３も連動して同一方向に同一角度だけ旋回するように構成されている。したがって、各旋回板１２１〜１２３の旋回機構を扁平に構成できる。換言すると、各把持爪１０１〜１０３を移動させるための機構を扁平に構成できる。
【００４３】
このように、本例では、把持爪１０１〜１０３を短くでき、また、それらを移動させるための機構も扁平に構成できるので、グリッピング機構１００の薄型化を達成できる。さらに、旋回板１２２、１２３は同一形状であり、これらの部品を共用化できる。よって、コストの低減化に有利である。
【００４４】
（把持爪）
次に、図９を参照して、本例の把持爪１０１〜１０３を説明する。図９（ａ）は把持爪１０１、１０３の断面図であり、図９（ｂ）は把持爪１０１〜１０３の平面図である。把持爪１０１〜１０３は、支持ピン１１１〜１１３の下端面１１１ａ〜１１３ａから下方に突出している円柱状のピン１０１ａ〜１０３ａと、このピン１０１ａ〜１０３ａを同心状態で取り囲んでいるゴムなどからなる弾性円筒１０１ｂ〜１０３ｂとを備え、ピン１０１ａ〜１０３ａの下端には抜け止め用の大径の頭１０１ｃ〜１０３ｃが形成されている。
【００４５】
各把持爪１０１〜１０３の弾性円筒１０１ｂ〜１０３ｂの円形外周面１０１ｄ〜１０３ｄが、ディスク２の中心孔２ｃの内周面２ｄに当接可能なディスク当接面である。把持爪１０１および１０２の軸長が把持爪１０３の軸長より長く、少なくとも把持対象のディスク２の内周面２ｄの厚さより長い寸法とされている。本例では、把持爪１０１、１０２の弾性円筒１０１ｂ、１０２ｂの長さが、図９（ａ）に示すように、積層されている上側のディスク２（１）の内周面２ｄの全体と、下側のディスク２（２）の内周面２ｄの少なくとも上側部分に掛かる長さ寸法に設定されている。これに対して、把持爪１０３の弾性円筒１０３ｂの長さは、把持対象のディスク２の内周面２ｄの厚さ以下の寸法、本例では、内周面２ｄの厚さよりも僅かに短い寸法に設定されている。
【００４６】
各把持爪１０１ないし１０３が、厚さ方向に積み上げられているディスクにおける最も上のディスク２（１）の中心孔２ｃに挿入されて、半径方向の外側に押し広げられると、図９に示す状態が形成される。すなわち、長い把持爪１０１、１０２の弾性部材１０１ｂ、１０２ｂからなるディスク当接面はディスク中心孔２ｃの内周面２ｄに押し付けられて弾性変形する。しかるに、当該ディスク当接面におけるディスク中心孔２ｃからその裏面側に突出している部分１０１ｅ、１０２ｅ（図においては部分１０１ｅのみを示す。）は、弾性変形することなく、当該ディスク２（１）の裏面側に食い込んだ状態になる。換言すると、把持対象の上側のディスク２（１）の裏面と下側のディスク２（２）の表面との間の隙間に食い込んだ状態になる。また、弾性円筒１０１ｂ、１０２ｂの下端部分１０１ｆ、１０２ｆ（図においては下端部分１０１ｆのみを示す。）は下側のディスク２（２）の中心孔２ｃの内周面２ｄの上端部分に押し付けられた状態になる。これに対して、短い把持爪１０３のディスク当接面は最も上のディスク２（１）の中心孔内周面２ｄにのみ押し付けられた状態になる。
【００４７】
上側のディスク２（１）は３本の把持爪１０１〜１０３によって確実に把持される。また、２本の把持爪１０１、１０２のディスク当接面の弾性変形によって、ディスク厚さ方向においても把持爪１０１、１０２から落下することにないように確実に把持される。これに対して、下側のディスク２（２）には、長い２本の把持爪１０１、１０２のディスク当接面が部分的に当接しているのみである。よって、把持爪１０１〜１０３を持ち上げると、上側のディスク２（１）のみが持ち上げられる。
【００４８】
また、把持爪１０１ないし１０３を半径方向に押し広げたときには、上側のディスク２（１）は３本の把持爪１０１〜１０３によってディスク平面方向の位置が固定されるが、下側のディスク２（２）は長い２本の把持爪１０１、１０２が当たるだけなので、これらによってディスク平面方向に押される。この結果、上側のディスク２（１）に対して下側のディスク２（２）が相対的に僅かに横方向にスライドする。上下のディスク２（１）、２（２）が密着状態で積層されていたとしても、下側のディスク２（２）がスライドすることにより、これらの間に空気が進入して、これらの間の密着状態が緩和あるいは解除される。このため、上側のディスク２（１）のみを確実に持ち上げることができる。
【００４９】
さらに、３本の把持爪１０１〜１０３のディスク当接部は弾性円筒１０１ｂ〜１０３ｂから形成されているので、ディスク２を把持する際に、ディスク２を傷つけることがないという利点もある。
【００５０】
なお、把持爪の本数は３本が一般的であるが、４本以上とすることも可能である。４本以上の場合においても、それらを半径方向に押し広げたときに、上側のディスクの平面方向の位置が固定され、下側のディスクは長い把持爪によって平面方向にスライドするように、把持爪の配置を適切に設定しておけばよい。
【００５１】
（ディスク検出機構）
次に、クリッピング機構１００は、把持爪１０１〜１０３をディスク２の中心孔２ｃに挿入する際の停止位置（挿入量）を制御するためのディスク検出機構が備わっている。図６〜図９を参照して説明すると、本例のディスク検出機構１４０は、ディスク検出レバー１４１と、ホトカプラからなるディスク検出器１４２を備えている。ディスク検出レバー１４１は、直線状の本体部１４１ａと、その先端から下方に直角に折れ曲がった先端部１４１ｂを備えたＬ形のレバーであり、本体部１４１ａの後端部はアームベース５５ａの上面に、上下方向に回転自在の状態で取り付けられている。ディスク検出レバー１４１の本体部１４１ａはアームベース５５ａの上面に乗っており、その先端部１４１ｂは、アームベース５５ａに開けた開口部５５ｄを貫通してその裏面側から下方に突出している。また、本体部１４１ａの側面には横方に突出した検出板１４１ｃが形成されている。ディスク検出レバー１４１の上下方向の移動に伴う当該検出板１４１ｃの移動軌跡上に、ディスク検出器１４２の検出領域１４２ａが配置されている。
【００５２】
ディスク２を把持していない状態では、ディスク検出レバー１４１はアームベース５５ａに乗った水平姿勢となっている。この状態では、検出板１４１ｃがディスク検出器１４２の検出領域１４２ａ内に位置しており、この検出領域１４２ａを通る検出光を遮断したオフ状態になる。搬送アーム５５を下降させて、ディスク２の中心穴２ｃに把持爪１０１〜１０３を挿入していくと、ディスク２の表面にディスク検出レバー１４１の先端部１４１ｂが当り、挿入に伴って当該ディスク検出レバー１４１が押し上げられる。
【００５３】
図７、９（ａ）に示すように、把持爪１０１〜１０３がディスク２の中心孔２ｃに完全に挿入され、それらを支持している支持ピン１１１〜１１３の下端面１１１ａ〜１１３ａがディスク２の表面に当接する直前の状態において、検出板１４１ｃが検出領域１４２ａから外れて、ディスク検出器１４２がオンに切り替わる。これにより、把持爪１０１〜１０３がディスク２の中心孔２ｃに挿入されたことが検出される。
【００５４】
（搬送アームとタイミングベルトの連結機構）
ここで、このような検出機構１４０を用いて把持爪１０１〜１０３の挿入位置を制御する場合には、ディスク検出レバー１４１の製造誤差、このディスク検出レバー１４１の組付け誤差、ディスク検出器１４２の組付け誤差、ディスク検出機４２自体の検出誤差などが原因となって、図７、図９（ａ）に示すように、把持爪１０１〜１０３が完全にディスク２の中心孔２ｃに挿入された時点で正確に把持爪１０１〜１０３の挿入を止めることができない場合がある。挿入が不十分であると、把持爪１０１〜１０３によってディスク２を把持できず、把持不良が発生する可能性がある。逆に、過剰に挿入すると、把持爪１０１〜１０３が取り付けられている支持ピン１１１〜１１３の下端面１１１ａ〜１１３ａなどがディスク２の表面に当り、ディスク２を傷つけ、場合によってはディスクを破損する可能性がある。かかる弊害を回避するために、本例では、搬送アーム５５を、弾性部材を介して、その昇降機構のタイミングベルト６４に連結した構成の連結機構を採用している。
【００５５】
図１０（ａ）は連結機構の部分を示す部分斜視図であり、図１０（ｂ）はその分解斜視図である。図７および図１０を参照して説明すると、搬送アーム５５は、ばね部材１５１を介して、タイミングベルト６４に固定したベルトクリップ１５２に連結されている。搬送アーム５５のアームベース５５ａの後端部には、下向きの天面１５３と、この天面１５３から下方に垂直に延びている円柱状の支軸１５４が形成されている。ベルトクリップ１５２は、アームベース側の天面１５３に下側から当接可能な上端面１５２ａと、この上端面１５２ａから当該ベルトクリップ１５２を貫通して延びる軸穴１５２ｂと、タイミングベルト６４に連結固定された固定部１５２ｃとを備えている。
【００５６】
ベルトクリップ１５２は、その軸穴１５２ｂに支軸１５４が通され、上端面１５２ａが天面１５３に下側から当接した状態で、アームベース５５ａの後端部に取り付けられている。したがって、搬送アーム５５は、支軸１５４、軸穴１５２ｂ、天面１５３、上端面１５２ａからなる支持部を介して、タイミングベルト６４に固定したベルトクリップ１５２に対して、上方に移動可能な状態で連結されている。すなわち、把持爪１０１〜１０３がディスク２の中心孔２ｃから引き上げられる方向に移動可能である。
【００５７】
また、ベルトクリップ１５２の底面における軸穴１５２ｂよりも前方側の部位にはばね部材１５１を下側から受け入れている溝１５２ｄが形成されている。ばね部材１５１は、アームベース５５ａの後端部に形成したばね掛け１５５に取り付けられており、ベルトクリップ１５２を常に上方に付勢している。したがって、ばね部材１５１によって、アームベース５５ａがベルトクリップ１５２に押し付けられて、その上方への移動が阻止されている。
【００５８】
昇降用のモータ５６によってタイミングベルト６４が駆動されると（図５参照）、タイミングベルト６４に固定されているベルトクリップ１５２は一体となって昇降する。過剰な負荷が作用しない状態においては、ばね部材１５１のばね力によって、タイミングベルト６４に固定されているベルトクリップ１５２と一体となってアームベース５５ａも垂直ガイド軸５４に沿って昇降する。
【００５９】
ここで、搬送アーム５５を下降させて、その先端部の把持爪１０１〜１０３をディスク２の中心孔２ｃに挿入するときに、上述のディスク検出機構１４０によりディスク２が検出される前に把持爪１０１〜１０３を支持している支持ピン１１１〜１１３の下端面１１１ａ〜１１３ａがディスク２の表面に衝突したとする。
【００６０】
この場合、搬送アーム５５には一時的に過剰な負荷が作用し、ばね部材１５１が弾性変形して上下方向に潰される。ばね部材１５１の弾性変形によって、衝突力が緩和される。また、これ以後は、ベルトクリップ１５２が下降しても、ばね部材１５１が弾性変形し、搬送アーム５５は下降することなく、その位置に留まる。この結果、ディスク２が搬送アーム５５によって過剰に押し込まれて破損するなどの弊害が回避される。
【００６１】
例えば、把持爪１０１〜１０３のディスク中心穴２ｃへの挿入量を、部品の製造誤差、それらの組付け誤差などに起因するディスク検出機構１４０の検出誤差（把持爪１０１〜１０３の停止位置のバラツキ）を考慮して、僅かに多めに設定しておく。これにより、把持爪１０１〜１０３のディスク把持不良が解消される。また、把持爪１０１〜１０３を挿入する際に、それらが取り付けられている支持ピン１１１〜１１３（把持部材）がディスク表面２ｂに当った場合には、弾性部材であるばね部材１５１が弾性変形し、ディスク２に作用する衝突力が緩和される。さらに、支持ピン１１１〜１１３がディスク２に当った後は、ばね部材１５１が弾性変形して上下方向に押し潰され、搬送アーム５５がそれ以上挿入方向に移動することがない。よって、支持ピン１１１〜１１３によってディスク２が損傷することもない。
【００６２】
なお、本例では、把持爪１０１〜１０３を支持している搬送アーム５５を、その昇降機構のタイミングベルト６４に対して移動可能に連結し、常時、ばね部材によってその移動を阻止するようにしている。この代わりに、例えば、把持爪１０１〜１０３の支持ピン１１１〜１１３が取り付けられている旋回板１２１〜１２３を、旋回中心軸１３１〜１３３に対して上下に移動可能に取り付け、弾性部材によってその移動を阻止するようにしておいてもよい。
【００６３】
（ディスクのグリッピング動作）
図１１は、上記構成のディスク搬送部６によるディスクグリッピング動作を示す概略フローチャートである。
【００６４】
例えば、ブランクディスク・スタッカ１１に収納されているブランクディスク２Ａを把持して持ち上げて他の部位に搬送する場合を説明する。この場合には、制御部７の制御の下で、搬送アーム５５がブランクディスク・スタッカ１１の真上の所定高さ位置の所に位置決めされる。
【００６５】
この状態において、搬送アーム５５に組み込まれているグリッピング機構１００の電磁ソレノイド１２６をオンする（ステップＳＴ１）。電磁ソレノイド１２６をオンに切り替えると、その作動ロッド１２６ａが引き込まれ、この動きがＬ形リンク１２５を介して旋回板１２１に伝達され、当該旋回板１２１が図８における矢印Ｒ２の方向に所定量だけ旋回する。残りの旋回板１２２、１２３も同一方向に同一角度だけ旋回し、これら３枚の旋回板１２１〜１２３の支持腕１２１ｃ〜１２３ｃの先端に取り付けられている把持爪１０１〜１０３が相互に接近する方向に移動し、ディスク２Ａの中心孔２ｃに挿入可能な状態に窄まる。
【００６６】
この後、搬送アーム昇降用のモータ５６を駆動して、搬送アーム５５の下降動作を開始する（ステップＳＴ２）。搬送アーム５５が下降して最も上に位置するブランクディスク２Ａに接近すると、搬送アーム５５に搭載されているディスク検出機構１４０の検出レバー１４１がブランクディスク２Ａの表面に当たる。この後は、検出レバー１４１が搬送アーム５５の下降に伴って相対的に上方に移動し、検出レバー１４１の検出板１４１ｃがディスク検出器１４２の検出領域１４２ａから外れ、当該ディスク検出器１４２がオンに切り替わる（ステップＳＴ３）。この後に、搬送アーム５５を予め定めた量だけ下降させて当該搬送アーム５５を停止し、搬送アーム５５に組み込まれているグリッピング機構１００の把持爪１０１〜１０３がブランクディスク２Ａの中心孔２ｃに挿入された状態を形成する（ステップＳＴ４）。例えば、搬送アーム昇降用のモータ５６としてステッピングモータを採用する場合には、当該ステッピングモータのステップ数により搬送アーム５５の位置決めを行う。
【００６７】
このようにして３本の把持爪１０１〜１０３を把持対象のブランクディスク２Ａの中心孔２ｃに挿入する挿入工程が終了した後は、当該中心孔２ｃに挿入された把持爪１０１〜１０３を中心孔２ｃの径方向に押し広げて当該中心孔２ｃの内周面２ｄに押し付ける。すなわち、電磁ソレノイド１２６をオフに切り替え、その作動ロッド１２６ａを突出位置に戻す（ステップＳＴ５）。この結果、作動ロッド１２６ａに、Ｌ形リンク１２５を介して連結されている旋回板１２１が引張りコイルばね１２４のばね力によって図８の矢印Ｒ１の方向に旋回して元の位置に戻る。これに連動して残りの２枚の旋回板１２２、１２３も同一方向に同一角度だけ旋回して元の位置に戻る。よって、これらの旋回板１２１〜１２３に取り付けられている把持爪１０１〜１０３が、中心孔径方向の外側に押し広げられて、ブランクディスク２Ａの中心孔内周面２ｄに押し付けられたディスク把持状態が形成される。
【００６８】
このようにしてディスク把持工程が終了した後は、把持爪１０１〜１０３を径方向に押し広げた状態のままで、搬送アーム５５を上昇させ、把持したブランクディスク２Ａを持ち上げるディスク持ち上げ工程が実行される（ステップＳＴ１１〜ＳＴ１５）。
【００６９】
本例のディスク持ち上げ工程では、搬送アーム５５が所定量だけ持ち上げられるまでの間、すなわち、把持爪１０１〜１０３が挿入方向とは逆方向に所定量だけ移動するまでは、当該搬送アーム５５を間欠的に上昇させるようにしている。すなわち、搬送アーム５５を所定の速度で一定量だけ上昇させる上昇動作と、搬送アーム５５を一定時間だけ停止させる停止動作とを所定回数だけ繰り返す（ステップＳＴ１１〜１３）。搬送アーム昇降用のモータ５６がステッピングモータの場合には、そのステップ数により上昇量を管理すればよい。
【００７０】
このような間欠移動工程を行った後は、ディスク検出機構１４０の出力に基づき、ブランクディスク２Ａが把持爪１０１〜１０３によって把持されて持ち上げられているか否かの検出が行われる（ステップＳＴ１４）。ブランクディスク２Ａが持ち上げられている場合には、ディスク検出機構１４０の検出レバー１４１が持ち上げられているブランクディスク２Ａによって上方に移動したままの状態にあり、ディスク検出器１４２はオン状態にある。よって、ディスク検出機構１４０の出力に基づき、把持爪１０１〜１０３によってブランクディスク２Ａが確実に把持されて持ち上げられたか否かを検出できる。
【００７１】
ブランクディスク２Ａが持ち上げられていない場合には、再び、ステップＳＴ１に戻り、ブランクディスク２Ａの把持および持ち上げ動作を最初からやり直す。ブランクディスク２Ａが持ち上げられている場合には、上記の間欠移動工程における搬送アーム上昇速度よりも早い速度で連続して所定の高さ位置まで搬送アーム５５を持ち上げる高速連続移動工程を実行する（ステップＳＴ１５）。
【００７２】
本例では、搬送アーム５５を上昇させる際に、最初は、遅い速度で間欠的に上昇させるようにしている。先に述べたように、搬送アーム５５はばね部材１５１を介して昇降機構の駆動部材であるタイミングベルト６４に連結されている。ディスク検出機構１４０による把持爪１０１〜１０３の挿入停止位置にバラツキがあっても、ばね部材１５１の弾性変形によって、ディスク２Ａを傷つけることなく、把持爪１０１〜１０３がディスク中心孔２ｃに挿入され、それらが取り付けられている支持ピン１１１〜１１３の下端面１１１ａ〜１１３ａがディスク表面に当接した状態が形成される。
【００７３】
この状態では、ばね部材１５１のばね力によって、搬送アーム５５がディスク表面側に押し付けられている。すなわち、ブランクディスク２Ａは上側からばね部材１５１のばね力によって下側のブランクディスク２Ａに押し付けられている。この状態で、把持爪１０１〜１０３を押し広げた場合、把持爪１０１〜１０３を押し広げる力よりも、上下のブランクディスク２Ａの間の摩擦力の方が大きい場合には、ブランクディスク２Ａを横方向に移動させることができない。この結果、３本の把持爪１０１〜１０３によってブランクディスク中心孔２ｃの内周面２ｄを内側から確実に把持した状態を形成できない場合がある。
【００７４】
特に、本例では、図９に示すように、長い把持爪１０１、１０２は、２枚のディスクの内周面に掛かっており、これらのディスクが上側から押し付けられていると、これらのディスクを横方向に押して把持爪１０１、１０２を広げることができない場合がある。
【００７５】
かかる弊害を回避するために、本例のグリッピング動作においては、搬送アーム５５を持ち上げる際に、まず間欠的に持ち上げる動作を繰り返している。搬送アーム５５を僅かに持ち上げて止める動作を繰り返すことにより、ブランクディスク２Ａを押し付けている力が徐々に緩和される。ブランクディスク２Ａの押し付け力がある程度緩和された時点、あるいはそれが解除された時点で、把持爪１０１〜１０３によってブランクディスク２Ａを横方向に押し出すことが可能となる。この結果、図９を参照して説明したように、把持爪１０１〜１０３によって上下のブランクディスク２Ａが相対的にスライドして、上側のブランクディスク２Ａのみが確実に把持された状態が形成される。この間欠移動工程によってブランクディスク２Ａが確実に把持されるので、ブランクディスク２Ａを持ち上げる途中でブランクディスク２Ａが落下するなどの弊害を回避できる。
【００７６】
（レーベルプリンタの具体例）
なお、図１２、１３は、レーベルプリンタ５の具体例を示す斜視図、および、そのプリンタトレイ８１を示す平面図である。これらの図を参照してレーベルプリンタ５の構成を説明する。
【００７７】
レーベルプリンタ５はシャーシ８３を備え、このシャーシ８３における後側の左右の側板部分の間にキャリッジガイド軸８４が水平に架け渡されており、ここに沿って、インクジェットヘッド（図示せず）が搭載されたヘッドキャリッジ８５が左右方向に往復移動可能である。キャリッジ駆動機構は、左右方向に水平に架け渡したタイミングベルト８６と、これを駆動するためのキャリッジモータ８７とを備えている。
【００７８】
ヘッドキャリッジ８５に搭載されているインクジェットヘッドは、そのノズル面が下向きとされており、当該インクジェットヘッドの下側位置を、前後方向に水平にプリンタトレイ８１が往復移動可能となっている。プリンタトレイ８１は、その右側の端が、前後方向に水平に延びるガイド軸８８によって支持され、その左側の端が、スライド可能な状態で、前後方向に水平に延びるガイドレール８９によって支持されている。このプリンタトレイ８１の駆動機構も、前後方向に水平に架け渡したタイミングベルト９０と、これを駆動するためのトレイモータ９１を備えた構成となっている。
【００７９】
プリンタトレイ８１は、矩形の板の上面に、ディスク２を載せるための円形の浅い凹部８１ａを備えている。また、当該凹部８１ａの中心部には、同一円上において６０度間隔に配置された３本の垂直爪９２〜９４を備えている。１本の垂直爪９４は半径方向に移動可能であり、残りの２本の垂直爪９２，９３は、固定位置に配置されている。電磁ソレノイドなどの不図示駆動機構によって１本の垂直爪９４が移動するようになっている。
【００８０】
ディスク２を、そのレーベル面２ａを上向きにして、上から凹部８１ａに落とすと、図１３に示すように、ディスク２の中心孔２ｃに３本の垂直爪９２〜９４が差し込まれた状態になる。この後に、垂直爪９４を半径方向の外方に僅かに移動すると、これら３本の垂直爪９２〜９４がディスク２の中心孔２ｃの内周面２ｄに内側から押し付けられた状態になる。これにより、ディスク２がプリンタトレイ８１に保持される。この状態で、トレイモータ９１を駆動して、プリンタトレイ８１をガイド軸８８に沿って後ろ側に移動させ、インクジェットヘッドの印字領域内まで移動させることができる。この後は、インクジェットヘッドによって、ディスク２の印刷面に所定の印刷を施すことができる。
【符号の説明】
【００８１】
１  ＣＤパブリッシャ、２  ディスク、２Ａ  ブランクディスク、２Ｂ  作成済みディスク、２ｃ  中心孔、２ｄ  内周面、３  ディスク保管部、４  ディスクドライブ、５  レーベルプリンタ、６  ディスク搬送部、７  制御部、８  上位機器、１１  第１スタッカ（ブランクディスク・スタッカ）、１２  第２スタッカ（作成済みディスク・スタッカ）、１３  ディスク排出口、５４  垂直ガイド軸、５５  搬送アーム、５５ａ  アームベース、５５ｂ  アームケース、５６  モータ、６４  タイミングベルト、６５  モータ、１００  グリッピング機構、１０１〜１０３  把持爪、１０１ａ〜１０３ａ  ピン、１０１ｂ〜１０３ｂ  弾性円筒、１１１〜１１３  支持ピン、１２１〜１２３  旋回板、１３１〜１３３  旋回中心軸、１４０  ディスク検出機構、１４１  ディスク検出レバー、１４１ｃ  検出板、１４２  ディスク検出器、１４２ａ  検出領域、１５１  ばね部材、１５２  ベルトクリップ、１５２ａ  上端面、１５２ｂ  軸穴、１５３  天面、１５４  支軸。
【図１】
2011170966.tif 000003
【図２】
2011170966.tif 000004
【図３】
2011170966.tif 000005
【図４】
2011170966.tif 000006
【図５】
2011170966.tif 000007
【図６】
2011170966.tif 000008
【図７】
2011170966.tif 000009
【図８】
2011170966.tif 000010
【図９】
2011170966.tif 000011
【図１０】
2011170966.tif 000012
【図１１】
2011170966.tif 000013
【図１２】
2011170966.tif 000014
【図１３】
2011170966.tif 000015
【手続補正書】
【提出日】平成23年5月17日(2011.5.17)
【手続補正１】
【補正対象書類名】特許請求の範囲
【補正対象項目名】全文
【補正方法】変更
【補正の内容】
【特許請求の範囲】
【請求項１】
把持対象のディスクを把持する把持爪と前記ディスクの上面に当接する当接面を備えた、前記ディスクを把持するディスクのグリッピング機構と、
前記グリッピング機構が一端側に組み込まれた搬送アームと、
前記搬送アームを昇降する昇降機構と、を備え、
前記搬送アームの他端側は、弾性部材を介して前記昇降機構と連結されることを特徴とするディスク搬送装置。
【請求項２】
請求項１において、
前記昇降機構は、駆動部材を備え、
前記搬送アームの他端側は、前記駆動部材に前記弾性部材を介して連結され、
前記駆動部材による前記搬送アームの降下により、前記把持爪は前記ディスクの中心孔に挿入され、前記当接面が前記ディスクの表面に当接した後、前記駆動部材がさらに駆動された場合、前記弾性部材は弾性変形することを特徴とするディスク搬送装置。
【請求項３】
請求項２において、
前記昇降機構は、プーリ、該プーリに掛け渡されたベルト、該ベルトを駆動するモータおよび垂直ガイド軸を備え、
前記搬送アームの他端側は、前記ベルトに固定されたベルトグリップに前記弾性部材を介して連結された状態で前記垂直ガイド軸に昇降可能に支持され、
前記ベルトの駆動による前記搬送アームの降下により、前記把持爪は前記ディスクの中心孔に挿入され、前記当接面が前記ディスクの表面に当接した後、前記ベルトがさらに駆動された場合、前記弾性部材は弾性変形することを特徴とするディスク搬送装置。
【請求項４】
請求項３において、
前記ベルトが駆動されると、前記搬送アームは、過剰な負荷が作用しない状態において、前記弾性部材のばね力により前記ベルトおよび前記ベルトグリップと一体となって前記垂直ガイド軸に沿って昇降することを特徴とするディスク搬送装置。
【請求項５】
請求項１において、
前記搬送アームに搭載され、前記把持対象のディスクの中心孔に挿入される前記把持爪の停止位置を検出するためのディスク検出機構を有していることを特徴とするディスク搬送装置。
【請求項６】
請求項５において、
前記ディスク検出機構は、直線状の本体部とその先端から下方に折れ曲がった先端部を備えたディスク検出レバーを備え、
前記搬送アームの降下により前記把持爪が前記ディスクの中心孔に挿入されると、前記ディスク検出レバーの前記先端部は、前記ディスクの表面に当たり前記搬送アームに対して相対的に上方に移動することによって、前記把持爪の挿入量が制御されることを特徴とするディスク搬送装置。
【請求項７】
把持対象のディスクを把持する把持爪と前記ディスクの上面に当接する当接面を備えた、前記ディスクを把持するディスクのグリッピング機構と、
前記グリッピング機構が、一端側に組み込まれた搬送アームと、
前記搬送アームを昇降する昇降機構と、
前記搬送アームの他端側と、前記昇降機構とを連結する弾性部材と、
を備えたディスク搬送装置の制御方法であって、
前記昇降機構により前記搬送アームを降下させるステップと、
前記搬送アームの降下により前記把持爪を前記ディスクの中心孔に挿入するステップと、
前記当接面を前記ディスクの表面に当接させるステップと、
前記当接面が前記ディスクの表面に当接した後、前記弾性部材が弾性変形して前記搬送アームの挿入方向への移動を阻止するステップと、
を含むことを特徴とするディスク搬送装置の制御方法。
【請求項８】
請求項７において、
前記昇降機構は、プーリ、該プーリに掛け渡されたベルト、該ベルトを駆動するモータおよび垂直ガイド軸を備え、前記搬送アームの他端側は、昇降可能な状態で前記垂直ガイド軸に支持され、前記弾性部材を介して前記ベルトに固定されたベルトグリップに連結され、
前記ベルトの駆動による前記搬送アームの降下により前記把持爪を前記ディスクの中心孔に挿入するステップと、
前記当接面が前記ディスクの表面に当接した後、前記ベルトがさらに駆動された場合、前記弾性部材は弾性変形するステップと、
を含むことを特徴とするディスク搬送装置の制御方法。
【請求項９】
請求項７において、
前記搬送アームに搭載され、前記把持対象のディスクの中心孔に挿入される前記把持爪の停止位置を検出するためのディスク検出機構を有し、
前記ディスク検出機構のディスク検出レバーが、前記ディスクの表面に当たり、前記搬送アームに対して相対的に上方に移動することによって、前記把持爪の挿入量を制御するステップを含むことを特徴とするディスク搬送装置の制御方法。
【請求項１０】
請求項９において、
前記ディスク検出が検出した前記把持爪の停止位置で前記搬送アームを停止させ、前記把持爪が前記ディスクの中心孔に挿入された状態を形成するステップを含むことを特徴とするディスク搬送装置の制御方法。
【手続補正３】
【補正対象書類名】明細書
【補正対象項目名】０００１
【補正方法】変更
【補正の内容】
【０００１】
本発明は、把持爪によりディスクを把持するように構成されているディスク搬送装置に関するものである。さらに詳しくは、把持爪をディスクの中心孔に挿入する動作を、ディスクの破損、把持爪の挿入不良を招くことなく、適切に行うことのできるディスクのグリッピング機構を備えたディスク搬送装置に関するものである。
【手続補正４】
【補正対象書類名】明細書
【補正対象項目名】０００８
【補正方法】変更
【補正の内容】
【０００８】
本発明の課題は、この点に鑑みて、ディスクの中心孔に挿入される把持爪の停止位置にバラツキが発生しても、ディスクの把持不良、ディスクの破損を招くことなく、ディスクを把持可能なグリッピング機構を備えたディスク搬送装置を提案することにある。
【手続補正５】
【補正対象書類名】明細書
【補正対象項目名】０００９
【補正方法】変更
【補正の内容】
【０００９】
上記の課題を解決するために、本発明のディスク搬送装置は、把持対象のディスクを把持する把持爪と前記ディスクの上面に当接する当接面を備えた、前記ディスクを把持するディスクのグリッピング機構と、前記グリッピング機構が一端側に組み込まれた搬送アームと、前記搬送アームを昇降する昇降機構と、を備え、前記搬送アームの他端側は、弾性部材を介して前記昇降機構と連結されることを特徴としている。
【手続補正６】
【補正対象書類名】明細書
【補正対象項目名】００１０
【補正方法】変更
【補正の内容】
【００１０】
本発明のディスク搬送装置においては、把持爪を把持対象のディスクの中心孔に挿入する挿入量を、部品の製造誤差、それらの組付け誤差などを考慮して、僅かに多めに設定しておくことにより、把持爪によるディスクの把持不良が解消される。また、把持爪を挿入する際に、それらの把持部材がディスク表面に当った場合には、弾性部材が弾性変形し、ディスクに作用する衝突力が緩和される。また、把持部材がディスクに当った後は、弾性部材が弾性変形して、把持部材がそれ以上挿入方向に移動することがない。よって、把持部材によってディスクが損傷することもない。したがって、把持爪の挿入時におけるその停止位置にバラツキが発生しても、把持不良、ディスクの破損などが発生しない。
【手続補正７】
【補正対象書類名】明細書
【補正対象項目名】００１１
【補正方法】変更
【補正の内容】
【００１１】
また、本発明は、把持対象のディスクを把持する把持爪と前記ディスクの上面に当接する当接面を備えた、前記ディスクを把持するディスクのグリッピング機構と、前記グリッピング機構が、一端側に組み込まれた搬送アームと、前記搬送アームを昇降する昇降機構と、前記搬送アームの他端側と、前記昇降機構とを連結する弾性部材と、を備えたディスク搬送装置の制御方法であって、前記昇降機構により前記搬送アームを降下させるステップと、前記搬送アームの降下により前記把持爪を前記ディスクの中心孔に挿入するステップと、前記当接面を前記ディスクの表面に当接させるステップと、前記当接面が前記ディスクの表面に当接した後、前記弾性部材が弾性変形して前記搬送アームの挿入方向への移動を阻止するステップと、を含むことを特徴としている。
【手続補正８】
【補正対象書類名】明細書
【補正対象項目名】００１２
【補正方法】変更
【補正の内容】
【００１２】
本発明のディスク搬送装置の制御方法においては、把持爪を把持対象のディスクの中心孔に挿入する挿入量を、部品の製造誤差、それらの組付け誤差などを考慮して、僅かに多めに設定しておくことにより、把持爪によるディスクの把持不良が解消される。また、把持爪を挿入する際に、それらの把持部材がディスク表面に当った場合には、弾性部材が弾性変形し、ディスクに作用する衝突力が緩和される。また、把持部材がディスクに当った後は、弾性部材が弾性変形して、把持部材がそれ以上挿入方向に移動することがない。よって、把持部材によってディスクが損傷することもない。したがって、把持爪の挿入時におけるその停止位置にバラツキが発生しても、把持不良、ディスクの破損などが発生しない。
【手続補正９】
【補正対象書類名】明細書
【補正対象項目名】００１３
【補正方法】変更
【補正の内容】
【００１３】
本発明のディスク搬送装置では、把持爪を備えている把持部材が、把持爪の挿入方向とは逆方向に移動可能な状態で支持部によって支持され、常時は、その移動が弾性部材によって阻止されている。把持爪を把持対象のディスク中心孔に挿入した際に、把持爪を備えている把持部材がディスク表面に当ると、弾性部材が弾性変形して、それらの衝突力が緩和される。また、弾性部材が弾性変形して、把持部材がそれ以上移動することがない。よって、把持爪の挿入時に、その停止位置にバラツキが有ったとしても、ディスクが損傷してしまうことが無い。また、停止位置のバラツキを考慮して把持爪の挿入量を設定しておくことにより、把持爪によるディスクの把持不良も解消できる。